(57)【要約】      （修正有）【課題】数対の信号伝送端子を有し、該信号伝送端子間のクロストークを防止すべく、各対の信号伝送端子が千鳥状に配置された高周波マイクロコネクターを提供する。【解決手段】高周波マイクロコネクターは、絶縁ハウジング１０と、複数の第１の端子と、複数の第２の端子とを有する。前記絶縁ハウジングは、ベース１１と第１の凸部１３と、第２の凸部１５とを有する。前記第１及び第２の端子は、それぞれが前記ベースを貫いて前記第１及び第２の凸部に取り付けられている。前記第２の凸部は、数対の高周波信号伝送端子を含み、各高周波信号伝送端子は、横方向延長部と、該横方向延長部に形成された半田付け部とを有する。各対の前記横方向延長部は、前記半田付け部間の距離を増大させるように、逆にかつ向かい合って突出し、その結果、前記高周波信号伝送端子間のクロストークを防止する。【選択図】図１
0003163905.tif 000002
【実用新案登録請求の範囲】
【請求項１】
絶縁ハウジングと、該絶縁ハウジングに取り付けられた複数の第１の端子と、前記絶縁ハウジングに取り付けられた複数の第２の端子と、前記絶縁ハウジング、前記第１の端子及び前記第２の端子を覆っている外殻とを含み、
前記絶縁ハウジングは、前部及び後部を有するベースと、該ベースの前方に形成されかつ前記ベースの前方から突出している第１の凸部と、前記ベースの前方に形成されかつ前記ベースの前方から突出している第２の凸部とを有し、
前記第１の端子は、前記ベースを貫いて前記絶縁ハウジングの前記第１の凸部に取り付けられ、
前記第２の端子は、前記ベースを貫いて前記絶縁ハウジングの前記第２の凸部に取り付けられ、ＵＳＢ３．０プロトコルを実行するように前記第１の端子と連携可能で、数対の高周波信号伝送端子を含み、
各対の前記高周波信号伝送端子は、互いに隣接して配置され、
各高周波信号伝送端子は、前記ベースに取り付けられた取付部と、該取付部の前方に形成されかつ該取付部から前方に突出する接触部であって前記第２の凸部に取り付けられた接触部と、前記取付部の横方向に形成されかつ該取付部から横方向に突出する横方向延長部と、該横方向延長部の後方に形成されかつ該横方向延長部から後方に突出する半田付け部とを有し、
各対の高周波信号伝送端子の横方向延長部は、前記半田付け部間の距離が各対の高周波信号伝送端子の前記取付部間の距離より大きくなるように逆にかつ向かい合って突出する、高周波マイクロコネクター。
【請求項２】
各第１の端子は、前記ベースに取り付けられた第１の取付部と、該第１の取付部に形成されかつ前記第１の取付部から突出する第１の接触部と、前記第１の取付部に形成されかつ前記第１の取付部から突出する第１の半田付け部とを有し、
各高周波信号伝送端子の前記取付部、前記接触部及び前記半田付け部は、それぞれ、第２の取付部、第２の接触部及び第２の半田付け部である、請求項１に記載された高周波マイクロコネクター。
【請求項３】
各高周波信号伝送端子の横方向延長部は、Ｌ字状で、前記第２の取付部から上方又は下方に突出する垂直タブと、前記垂直タブから内側又は外側に突出する水平タブとを有し、
各高周波信号伝送端子の前記第２の半田付け部は、前記水平タブから後方に形成されかつ前記水平タブから後方に突出している、請求項２に記載の高周波マイクロコネクター。
【請求項４】
各対の高周波信号伝送端子において、前記高周波信号伝送端子の一方は、上方に突出する垂直タブと、内側に突出する水平タブとを有し、前記高周波信号伝送端子の他方は、下方に突出する垂直タブと、外側に突出する水平タブとを有する、請求項３に記載の高周波マイクロコネクター。
【請求項５】
前記絶縁ハウジングは、前記ベースを貫いて設けられた複数の第１の取付穴であってそれぞれが前記第１の端子を受け入れる第１の取付穴と、前記ベースを貫いて設けられた複数の第２の取付穴であってそれぞれが前記第２の端子を受け入れる第２の取付穴とを有し、
各第１の取付穴は内面を有し、
各第２の取付穴は内面を有し、
前記第２の取付穴のいくつかは、前記数対の高周波信号伝送端子に対応するように、対に配置され、
各対の各第２の端子穴は、１つの前記高周波信号伝送端子の前記横方向延長部に適合するＬ字状断面を有する、請求項３に記載の高周波マイクロコネクター。
【請求項６】
前記第２の端子は、２対の前記高周波信号伝送端子と、該２対の高周波信号伝送端子間に配置された接地端子とに分類される、請求項５に記載の高周波マイクロコネクター。
【請求項７】
各高周波信号伝送端子の前記横方向延長部は、前記ベースの対応する第２の取付穴の前記内面に当接する停止要素として機能する、請求項５に記載の高周波マイクロコネクター。
【請求項８】
各第１の端子は、前記第１の取付部から上方に形成されかつ該第１の取付部から上方に突出するストッパーを有し、前記ベースの対応する第１の取付穴の前記内面に当接する、請求項５に記載の高周波マイクロコネクター。
【請求項９】
前記絶縁ハウジングの前記ベースを貫いて取り付けられた留め具を含み、該留め具は、前記留め具から前方に形成されかつ前記留め具から前方に突出する２つの弾性フックであって前記第１の凸部に取り付けられた弾性フックを有する、請求項８に記載の高周波マイクロコネクター。
【請求項１０】
前記絶縁ハウジングの前記ベースの後部に取り付けられた取付ブラケットを含み、該取付ブラケットは、上面と、底面と、それぞれが前記上面及び前記底面に設けられた２組の位置決め凹所とを有し、該２組の位置決め凹所は、それぞれが前記第１及び第２端子の前記第１及び第２の半田付け部を保持する、請求項８に記載の高周波マイクロコネクター。
【請求項１１】
前記第１の端子はＵＳＢ２．０プロトコルを実行可能である、請求項８に記載の高周波マイクロコネクター。
【請求項１２】
前記高周波マイクロコネクターは、ＵＳＢ３．０マイクロＢタイププラグコネクター規格に適合する、請求項１に記載の高周波マイクロコネクター。
【請求項１３】
前記高周波マイクロコネクターは、ＵＳＢ３．０マイクロＢタイププラグコネクター規格に適合する、請求項２に記載の高周波マイクロコネクター。
【請求項１４】
前記高周波マイクロコネクターは、ＵＳＢ３．０マイクロＢタイププラグコネクター規格に適合する、請求項３に記載の高周波マイクロコネクター。
【請求項１５】
前記高周波マイクロコネクターは、ＵＳＢ３．０マイクロＢタイププラグコネクター規格に適合する、請求項４に記載の高周波マイクロコネクター。
【請求項１６】
前記高周波マイクロコネクターは、ＵＳＢ３．０マイクロＢタイププラグコネクター規格に適合する、請求項５に記載の高周波マイクロコネクター。
【請求項１７】
前記高周波マイクロコネクターは、ＵＳＢ３．０マイクロＢタイププラグコネクター規格に適合する、請求項６に記載の高周波マイクロコネクター。
【請求項１８】
前記高周波マイクロコネクターは、ＵＳＢ３．０マイクロＢタイププラグコネクター規格に適合する、請求項７に記載の高周波マイクロコネクター。
【請求項１９】
前記高周波マイクロコネクターは、ＵＳＢ３．０マイクロＢタイププラグコネクター規格に適合する、請求項８に記載の高周波マイクロコネクター。
【考案の詳細な説明】
【技術分野】
【０００１】
本考案はコネクターに関し、特に数対の信号伝送端子を有し、該信号伝送端子間のクロストークを防止すべく、各対の信号伝送端子が千鳥状に配置された高周波マイクロコネクターに関する。
【背景技術】
【０００２】
従来のユニバーサルシリアルバス（ＵＳＢ）２．０コネクターは、様々な電気機器に使用されている。多くのコンピューター周辺機器はＵＳＢコネクターを備えている。電気機器は、それ自体の転送速度を増加させるために絶えず開発されており、ＵＳＢ２．０プロトコルは、新しい電気機器の最新の伝送速度の要求に合わなくなっている。そのため、ＵＳＢ  Ｉｍｐｌｅｍｅｎｔｅｒｓ  Ｆｏｒｕｍは、より高いデータ伝送速度のための新しいＵＳＢ３．０プロトコルを発表した。
【０００３】
ＵＳＢ３．０プロトコルは、ＵＳＢ２．０プロトコルと互換性があり、理論上５Ｇｂｐｓのデータ伝送速度を備えている。
【０００４】
しかし、ＵＳＢ３．０コネクターは、ＵＳＢ２．０又は３．０を二者択一に実行するための２列の端子を有し、その結果、ＵＳＢ３．０レセプタクルコネクターは、大型で複雑な構造を有し、鋳型の設計費用及び製造費用が増大する。さらに、ＵＳＢ３．０レセプタクルコネクターは、高周波信号伝送端子間のクロストークに起因して高周波データ伝送に失敗し易い。
【０００５】
また、ＵＳＢ２．０プロトコルとの互換性のために、ＵＳＢ３．０コネクターはマイクロＢタイプを含む。マイクロＢタイプＵＳＢ３．０コネクターは、携帯電話のような携帯電気機器のために設計されているので、標準のＡタイプのＵＳＢコネクターより小さい。したがって、マイクロＢタイプの端子の配置は、標準Ａタイプコネクターの端子の配置と比較したとき、より緊密によりコンパクトであるため、容易にクロストークを引き起こす。
【０００６】
本考案は、前記の問題点を改善する高周波マイクロコネクターを提供する。
【考案の概要】
【考案が解決しようとする課題】
【０００７】
本考案の目的は、数対の信号伝送端子を有し、該信号伝送端子間のクロストークを防止すべく、各対の信号伝送端子が千鳥状に配置された高周波マイクロコネクターを提供することにある。
【０００８】
本考案に係る高周波マイクロコネクターは、絶縁ハウジングと、複数の第１の端子と、複数の第２の端子とを含む。前記絶縁ハウジングは、ベースと、第１の凸部と、第２の凸部とを有する。前記第１及び第２の端子は、それぞれが前記第１及び第２の凸部に前記ベースを貫いて取り付けられている。前記第２の凸部は数対の高周波信号伝送端子を含み、各高周波信号伝送端子は横方向延長部及び該横方向延長部に形成された半田付け部を有する。各対の前記横方向延長部は、前記半田付け部の間の距離を増大するように逆にかつ向かい合って突出し、その結果、前記高周波信号伝送端子間のクロストークを防止する。
【０００９】
本発明の他の目的、利点及び新規の特徴は、添付の図面に関する以下の詳細な説明からより明らかになる。
【図面の簡単な説明】
【００１０】
【図１】本考案に係る高周波マイクロコネクターの正面斜視図。
【図２】図１の高周波マイクロコネクターの背面斜視図。
【図３】外殻を含まない高周波マイクロコネクターの正面斜視図。
【図４】外殻を含まない高周波マイクロコネクターの背面斜視図。
【図５】図１の高周波マイクロコネクターの正面分解斜視図。
【図６】図２の高周波マイクロコネクターの背面分解斜視図。
【図７】図２の高周波マイクロコネクターの第１及び第２の端子の斜視図。
【図８】図７の高周波マイクロコネクターの第１及び第２の端子の背面斜視図。
【図９】図１の高周波マイクロコネクターの垂直断面図。
【考案を実施するための形態】
【００１１】
図１ないし図４を参照するに、本考案に係る高周波マイクロコネクターは、ケーブルに取り付けられ、ＵＳＢ３．０マイクロＢタイプのプラグコネクター規格に適合する。ＵＳＢ３．０マイクロＢタイプ規格は、参考のためにここに取り込まれたＵＳＢ  Ｉｍｐｌｅｍｅｎｔｅｒｓ  Ｆｏｒｕｍ（ＵＳＢＩＦ）のウェブサイトｈｔｔｐ：／／ｗｗｗ．ｕｓｂ．ｏｒｇ／ｈｏｍｅ上に公開されたＵＳＢ３．０の仕様書の５．３４節“ＵＳＢ３．０マイクロコネクターファミリー”に記載されている。
【００１２】
図５及び図６を参照するに、前記高周波マイクロコネクターは、絶縁ハウジング１０と、複数の第１の端子３０と、複数の第２の端子５０、５０ａ、５０ｂと、留め具２０と、取付ブラケット４０と、外殻６０とを含む。
【００１３】
絶縁ハウジング１０は、ベース１１と、第１の凸部１３と、第２の凸部１５と、複数の第１の取付穴１１３と、複数の第２の取付穴１１５、１１５ａ、１１５ｂとを有する。
【００１４】
ベース１１は、前部及び後部を有する。
【００１５】
第１の凸部１３及び第２の凸部１５は、ベース１１の前部に形成され、該ベースの前部から前方に突出し、横方向に並んで配置されている。
【００１６】
第１の取付穴１１３は、ベース１１を貫いて設けられ、第１の凸部１３に延びている。各第１の取付穴１１３は内面を有する。
【００１７】
第２の取付穴１１５、１１５ａ、１１５ｂは、ベース１１を貫いて設けられ、第２の凸部１５に延びている。各第２の取付穴１１５、１１５ａ、１１５ｂは内面を有する。第２の取付穴１１５、１１５ａ、１１５ｂのいくつかは、対で配置されている。各対の各第２の取付穴１１５ａ、１１５ｂは、ベース１１の前記後部に隣接するＬ字状の断面を有する。
【００１８】
第１の端子３０は、ベース１１の前方に形成され、該ベースから前方に突出する。第１の端子３０は、それぞれがベース１１の第１の取付穴１１３を貫いて、対応する該ベースの第１の取付穴に取り付けられている。第１の端子３０は、絶縁ハウジング１０の第１の凸部１３に取り付けられ、ＵＳＢ２．０プロトコルの実行が可能である。各第１の端子３０は、第１の取付部３１と、第１の接触部３２と、第１の半田付け部３４とを有し、さらにストッパー３３を有する。
【００１９】
第１の取付部３１は、絶縁ハウジング１０のベース１１の対応する第１の取付穴１１３に取り付けられている。
【００２０】
第１の接触部３２は、第１の取付部３１の前方に形成され、該第１の取付部から前方に突出し、第１の凸部１３に取り付けられている。
【００２１】
第１の半田付け部３４は第１の取付部３１の後方に形成され、該第１の取付部から後方に突出する。
【００２２】
ストッパー３３は、第１の取付部３１の上方に形成され、該第１の取付部から上方に突出する。ストッパー３３は、第１の端子３０が不注意に絶縁ハウジング１０の前方に動くこと及び絶縁ハウジング１０の外に飛び出すことを防止すべく、対応する第１の取付穴１１３の前記内面に当接している。
【００２３】
図７ないし図９を参照するに、第２の端子５０、５０ａ、５０ｂは、ベース１１の前方に形成され、該ベースから前方に突出する。第２の端子５０、５０ａ、５０ｂは、それぞれがベース１１の第２の取付穴１１５、１１５ａ、１１５ｂを貫いて、対応する該ベースの第２の取付穴に取り付けられている。第２の端子５０、５０ａ、５０ｂは、絶縁ハウジングの第２の凸部１５に取り付けられ、ＵＳＢ３．０プロトコルを実行すべく第１の端子３０と連携することができる。第２の端子５０、５０ａ、５０ｂは、例えばＵＳＢＩＦの前記ＵＳＢ３．０仕様書に定義された超高速伝送端子及び超高速受信端子などの数対の高周波信号伝送端子５０ａ、５０ｂを含む。数対の高周波信号伝送端子５０ａ、５０ｂは、数対の第２の取付穴１１５ａ、１１５ｂに対応する。各対の高周波信号伝送端子５０ａ、５０ｂは、互いに隣接するように配置され、各高周波信号伝送端子は、第２の取付部５１と、第２の接触部５２と、横方向延長部５３と、第２の半田付け部５４とを有する。
【００２４】
第２の取付部５１は、絶縁ハウジング１０のベース１１の対応する第２の取付穴１１５ａ、１１５ｂに取り付けられている。
【００２５】
第２の接触部５２は、第２の取付部５１の前方に形成され、該第２の取付部から前方に突出し、第２の凸部１５に取り付けられている。
【００２６】
横方向延長部５３は、第２の取付部５１の横方向に形成され、該第２の取付部から横方向に突出する。横方向延長部５３は、Ｌ字状で、対応する第２の取付穴１１５ａ、１１５ｂのＬ字状断面に適合する。横方向延長部５３は、垂直タブ５３１と、水平タブ５３２とを有する。垂直タブ５３１は、第２の取付部５１から上方又は下方に突出する。水平タブ５３２は、垂直タブ５３１から内側又は外側に突出する。好ましくは、高周波信号伝送端子５０ａ、５０ｂの各対において、高周波信号伝送端子５０ａ、５０ｂの一方は、上方に突出する垂直タブ５３１と、内側に突出する水平タブ５３２とを有する。図８及び図９に示すように、高周波信号伝送端子５０ａ、５０ｂの他方は、下方に突出する垂直タブ５３１と、外側に突出する水平タブ５３２とを有する。
【００２７】
各高周波信号伝送端子５０ａ、５０ｂの横方向延長部５３は、前記高周波信号伝送端子が不注意に絶縁ハウジング１０の前方に動くこと及び絶縁ハウジング１０の外に飛び出すことを防止すべく、対応する第２の取付穴１１５ａ、１１５ｂの前記内面に当接する停止要素として機能する。
【００２８】
第２の半田付け部は、横方向延長部５３の後方に形成され、該横方向延長部から後方に突出する。
【００２９】
各対の高周波信号伝送端子５０ａ、５０ｂの横方向延長部５３は、第２の半田付け部５４間の距離Ｂが第２の取付部５１間の距離Ａより大きくなるように逆にかつ向かい合って突出する。横方向延長部５３は、各対の高周波信号伝送端子５０ａ、５０ｂ間のクロストークを減少させるべく、第２の半田付け部５４間の距離Ｂを増大させる。
【００３０】
好ましくは、第２の端子５０、５０ａ、５０ｂは、２対の高周波信号伝送端子５０ａ、５０ｂ及び前記対の間の接地端子５０に分類される。接地端子５０は、第２の取付部５１と、第２の接触部５２と、第２の半田付け部５４とを有する。第２の接触部５２は、第２の取付部５１の前方に形成され、該第２の取付部から前方に突出する。第２の半田付け部５４は、第２の取付部５１の後方に形成され、該第２の取付部から後方に突出する。
【００３１】
留め具２０は、絶縁ハウジング１０のベース１１を貫いて取り付けられ、２つの弾性フック２１を有する。弾性フック２１は、留め具２０の前方に形成され、該留め具から前方に突出する。弾性フック２１は、第１の凸部１３に取り付けられ、前記プラグとレセプタクルコネクターとの間の不用意な分離を防止すべく、例えばＵＳＢ２．０／３．０ソケットコネクターなどの対応するレセプタクルコネクターのソケット穴に留めることができる。
【００３２】
取付ブラケット４０は、絶縁ハウジング１０のベース１１の後部に取り付けられ、上面と、底面と、２組の位置決め凹所４１とを有する。２組の位置決め凹所４１は、それぞれが前記上面及び前記底面に設けられている。２組の位置決め凹所４１は、それぞれが第１及び第２の端子３０、５０、５０ａ、５０ｂの第１及び第２の半田付け部３４、５４を保持し、ケーブルの対応する線に接続するように前記第１及び第２の半田付け部に少ない半田を付ける半田付け工程を容易にする。
【００３３】
外殻６０は、絶縁ハウジング１０と、第１の端子３０と、第２の端子５０、５０ａ、５０ｂとを覆い、取付ブラケット４０と係合している。外殻６０は、絶縁ハウジング１０と、第１の端子３０と、第２の端子５０、５０ａ、５０ｂとに適合する空洞６００を有する。
【００３４】
横方向延長部５３は従来のマイクロＢタイププラグコネクターと比べたとき、第２の半田付け部５４間の距離Ｂを増大させる。増大した距離Ｂは、各対の高周波信号伝送端子５０ａ、５０ｂ間のクロストークを効果的に減少させる。
【００３５】
本考案の様々な特徴や利点を詳細な構造や機能とともに上記にて説明してきたが、開示は一例にすぎない。変更すること、特に形状や大きさ、部品の配置を変更することは、添付の請求項が表現する言葉の広い解釈により定められる範囲を超えない限り可能である。
【符号の説明】
【００３６】
１０    絶縁ハウジング
１１    ベース
１３    第１の凸部
１５    第２の凸部
２０    留め具
２１    弾性フック
３０    第１の端子
３１    第１の取付部
３２    第１の接触部
３３    ストッパー
３４    第１の半田付け部
４０    取付ブラケット
４１    位置決め凹所
５０、５０ａ、５０ｂ  第２の端子
５１    第２の取付部
５２    第２の接触部
５３    横方向延長部
５４    第２の半田付け部
６０    外殻
１１３    第１の取付穴
１１５、１１５ａ、１１５ｂ  第２の取付穴
５３１    垂直タブ
５３２    水平タブ
６００    空洞
【図１】
0003163905.tif 000003
【図２】
0003163905.tif 000004
【図３】
0003163905.tif 000005
【図４】
0003163905.tif 000006
【図５】
0003163905.tif 000007
【図６】
0003163905.tif 000008
【図７】
0003163905.tif 000009
【図８】
0003163905.tif 000010
【図９】
0003163905.tif 000011